(57)【特許請求の範囲】
【請求項１】
操作者からの回答結果に基づいて病名の候補を判断する病態判断装置であって、
予め定められた複数の症状項目から１つ以上の症状項目を選択させる画面を表示させる第１表示制御手段と、
前記複数の症状項目それぞれについて、量を問う定量質問、性質を問う定性質問、及び時間を問う時間質問の３種の質問内容を記憶する第１記憶手段と、
前記第１表示制御手段により表示された画面において選択された症状項目に設定された前記３種の質問内容を、前記第１記憶手段から読み出して順次画面表示させる第２表示制御手段と、
前記第２表示制御手段により順次表示された画面にて入力された各症状項目の前記３種の質問内容に対する回答結果に応じて、症状毎の結果を判断する症状結果判断手段と、
症状毎の結果それぞれに対して病名の候補が割り当てられた病名候補テーブルを記憶する第２記憶手段と、
前記第２記憶手段により記憶された病名候補テーブルに、前記症状結果判断手段により判断された症状毎の結果それぞれを当てはめることで、病名の候補を判断する病名候補判断手段と、
前記症状結果判断手段により判断された症状毎の結果、及び、前記病名候補判断手段により判断された病名の候補を画面表示させる結果表示制御手段と、
を備えることを特徴とする病態判断装置。
【請求項２】
前記定量質問、前記定性質問、及び前記時間質問は、当該症状項目が示す症状のみについて問うものである
ことを特徴とする請求項１に記載の病態判断装置。
【請求項３】
前記症状毎の結果を判断するための症状結果テーブルを記憶する第３記憶手段をさらに備え、
前記第２表示制御手段は、前記定量質問、前記定性質問、及び前記時間質問のそれぞれについて、回答を選択させる複数の選択肢を表示させ、
前記症状結果テーブルは、前記定量質問、前記定性質問、及び前記時間質問のそれぞれで選択された選択肢と、前記症状毎の結果との対応関係を示すものであり、
前記症状結果判断手段は、前記定量質問、前記定性質問、及び前記時間質問のそれぞれで選択された選択肢を、前記第３記憶手段により記憶される症状結果テーブルに当てはめて、症状毎の結果を判断する
ことを特徴とする請求項１又は請求項２のいずれかに記載の病態判断装置。
【請求項４】
年齢及び性別の少なくとも一方の属性情報の入力を促す画面を表示させる第３表示制御手段を備え、
前記第１表示制御手段は、前記属性情報が入力された場合、入力された属性情報が属する属性区分に応じた症状項目を予め記憶される複数の症状項目から抽出し、抽出した症状項目から１つ以上の症状項目を選択させる画面を表示させる
ことを特徴とする請求項１から請求項３のいずれか１項に記載の病態判断装置。
【請求項５】
年齢及び性別の少なくとも一方の属性情報の入力を促す画面を表示させる第３表示制御手段と、
属性情報の区分けを示す属性区分に応じて、前記複数の症状項目それぞれの前記定量質問、前記定性質問、及び前記時間質問に対する選択肢を記憶した第４記憶手段と、を備え、
前記第２表示制御手段は、前記属性情報が入力された場合、入力された属性情報が属する属性区分に応じた選択肢を前記第４記憶手段から読み出して表示させる
ことを特徴とする請求項３に記載の病態判断装置。
【請求項６】
コンピュータを、請求項１から請求項５のいずれか１項に記載の病態判断装置として機能させるための病態判断プログラム。
【請求項７】
請求項６に記載の病態判断プログラムが記録されたコンピュータ読取可能な記録媒体。
【発明の詳細な説明】
【技術分野】
【０００１】
本発明は、病態判断装置、病態判断プログラム、及びそのプログラムを記憶したコンピュータ読取可能な記録媒体に関する。
【背景技術】
【０００２】
従来、ユーザが自己に発生する症状等をコンピュータに入力することによってコンピュータ上において病名を判断する自動診察装置が提案されている（例えば特許文献１参照）。このような自動診察装置では、病名の判断に先だって問診内容が画像表示され、ユーザが問診内容に対する回答を行う形式がとられている。
【先行技術文献】
【特許文献】
【０００３】
【特許文献１】特開２００１−３４４３４０号公報
【発明の概要】
【発明が解決しようとする課題】
【０００４】
しかし、特許文献１に記載の自動診察装置は精度良く病名の候補を判断する点において未だ問題があるものであった。
【０００５】
本発明はこのような従来の課題を解決するためになされたものであり、その目的とするところは、より精度良く病名の候補を判断することが可能な病態判断装置、病態判断プログラム、及びそのプログラムを記憶したコンピュータ読取可能な記録媒体を提供することにある。
【課題を解決するための手段】
【０００６】
本発明の病態判断装置は、操作者からの回答結果に基づいて病名の候補を判断する病態判断装置であって、予め定められた複数の症状項目から１つ以上の症状項目を選択させる画面を表示させる第１表示制御手段と、前記複数の症状項目それぞれについて、量を問う定量質問、性質を問う定性質問、及び時間を問う時間質問の３種の質問内容を記憶する第１記憶手段と、前記第１表示制御手段により表示された画面において選択された症状項目に設定された前記３種の質問内容を、前記第１記憶手段から読み出して順次画面表示させる第２表示制御手段と、前記第２表示制御手段により順次表示された画面にて入力された各症状項目の前記３種の質問内容に対する回答結果に応じて、症状毎の結果を判断する症状結果判断手段と、症状毎の結果それぞれに対して病名の候補が割り当てられた病名候補テーブルを記憶する第２記憶手段と、前記第２記憶手段により記憶された病名候補テーブルに、前記症状結果判断手段により判断された症状毎の結果それぞれを当てはめることで、病名の候補を判断する病名候補判断手段と、を備えることを特徴とする。
【０００７】
本発明の病態判断装置によれば、質問内容は、症状項目が示す症状について、量を問う定量質問と、性質を問う定性質問と、時間を問う時間質問とからなる。ここで、本件発明者は、医学的見地に基づいて、定量的、定性的、及び時間的の３つの観点から、症状そのものの重篤度等を判断し、これを統合することで漏れが無く病名の候補を抽出できることを見出した。すなわち、本件発明者は、一般に医者による誤診が、例えば量だけを問い、時間や性質などを問うことなく決めつけてしまうことなどによって発生することを見出した。よって、３つの観点の質問の回答を入力させることで、症状の結果（重篤度や症状の発生原因箇所（例えば症状が「咳が出る」である場合の発生原因箇所としては気管支や気管）など）をより正確に判断することができ、これらの結果を統合して病名の候補を判断することで、病名候補をより精度良く判断することができる。
【０００８】
また、本発明において、前記定量質問、前記定性質問、及び前記時間質問は、当該症状項目が示す症状のみについて問うものであることが好ましい。
【０００９】
この病態判断装置によれば、定量質問、定性質問、及び時間質問は、当該症状項目が示す症状のみについて問うものである。ここで、本件発明者は、さらに、一般に医者による誤診が、問診時に、先入観から或る症状とその症状と関連がある症状とに対して同時的な質問をしてしまうことによって発生し易くなることを見出した。よって、各質問は、当該症状のみについて問うものであり、他の症状項目が示す症状を問う内容を含まないことが好ましいといえる。このような質問とすることで、一層正確に症状毎の結果を判断でき、病名候補をより精度良く判断することにつなげることができる。
【００１０】
また、本発明において、前記症状毎の結果を判断するための症状結果テーブルを記憶する第３記憶手段をさらに備え、前記第２表示制御手段は、前記定量質問、前記定性質問、及び前記時間質問のそれぞれについて、回答を選択させる複数の選択肢を表示させ、前記症状結果テーブルは、前記定量質問、前記定性質問、及び前記時間質問のそれぞれで選択された選択肢と、前記症状毎の結果との対応関係を示すものであり、前記症状結果判断手段は、前記定量質問、前記定性質問、及び前記時間質問のそれぞれで選択された選択肢を、前記第３記憶手段により記憶される症状結果テーブルに当てはめて、症状毎の結果を判断することが好ましい。
【００１１】
この病態判断装置によれば、定量質問、定性質問、及び時間質問のそれぞれについて、回答を選択させる複数の選択肢を表示させ、選択された選択肢を症状結果テーブルに当てはめて、症状毎の結果を判断する。このため、選択肢を表示させず例えばテキストボックスを表示させて文字を入力されるような場合には的を射ない回答が入力されてしまうことがあり、症状毎の結果が誤って判断されてしまうことがある。しかし、上記であれば、症状毎の結果が誤って判断されてしまう可能性を低減することができる。
【００１２】
また、本発明において、年齢及び性別の少なくとも一方の属性情報の入力を促す画面を表示させる第３表示制御手段を備え、前記第１表示制御手段は、前記属性情報が入力された場合、入力された属性情報が属する属性区分に応じた症状項目を予め記憶される複数の症状項目から抽出し、抽出した症状項目から１つ以上の症状項目を選択させる画面を表示させることが好ましい。
【００１３】
この病態判断装置によれば、属性区分に応じた１つ以上の症状項目を表示させる。例えば、１歳未満の乳児の症状項目に「頭痛がする」といったものが含まれていても乳児が頭痛の有無を伝えることができず、意味がない症状項目となる。また、男性の症状項目に「乳房に痛みがある」といったものが含まれていても意味がない症状項目となる。このように、年齢及び性別の少なくとも一方の属性情報に応じた医学的見地に基づく複数の症状項目を記憶しておくことで、年齢や性別ごとに適切な症状項目を表示させることができる。
【００１４】
また、本発明において、年齢及び性別の少なくとも一方の属性情報の入力を促す画面を表示させる第３表示制御手段と、属性情報の区分けを示す属性区分に応じて、前記複数の症状項目それぞれの前記定量質問、前記定性質問、及び前記時間質問に対する選択肢を記憶した第４記憶手段と、を備え、前記第２表示制御手段は、前記属性情報が入力された場合、入力された属性情報が属する属性区分に応じた選択肢を前記第４記憶手段から読み出して表示させることが好ましい。
【００１５】
この病態判断装置によれば、属性区分に応じて選択肢を記憶している。例えば、乳児、幼児及び児童は大人よりも熱が高い傾向にある。このため、例えば、乳児、幼児及び児童において「熱がある」の症状項目における「熱は何度か。」という定量質問の選択肢は、「３７℃以上３８．５℃未満」「３８．５℃以上４０℃未満」「４０℃以上」といった３つが適切である場合、大人では選択肢を「３７℃以上３７．５℃未満」「３７．５℃以上３８．５℃未満」「３８．５℃以上」とすることが適切となる。また、女性は男性よりも便秘になり易い傾向にある。このため、例えば女性において「便秘である」という症状項目における「便が最後に出たのはいつか。」という時間質問の選択肢は、「本日から２日前」「３日前から６日前」「１週間以上前」といった３つが適切である場合、男性では選択肢を「本日」「昨日又は一昨日」「３日以上前」とすることが適切となる。このように、属性区分に応じた選択肢を記憶しておくことで、年齢や性別ごとに応じた適切な選択をさせることができる。
【００１６】
また、本発明の病態判断プログラムは、コンピュータを、上記に記載の病態判断装置として機能させるための病態判断プログラムである。
【００１７】
また、本発明のコンピュータ読取可能な記録媒体は、上記に記載の病態判断プログラムが記録されたコンピュータ読取可能な記録媒体である。
【００１８】
これらによれば、コンピュータを上記に記載の病態判断装置として機能させることができる。
【発明の効果】
【００１９】
本発明によれば、より精度良く病名の候補を判断することが可能な病態判断装置、病態判断プログラム、及びそのプログラムを記憶したコンピュータ読取可能な記録媒体を提供することができる。
【図面の簡単な説明】
【００２０】
【図１】本発明の実施形態に係る病態判断装置を示す外観図である。
【図２】本実施形態に係る病態判断装置を示すハード構成図である。
【図３】本実施形態に係る病態判断装置を示すソフト構成図である。
【図４】図３に示した症状項目記憶部の記憶内容を示す概念図である。
【図５】図３に示した質問内容記憶部の記憶内容を示す概念図である。
【図６】図３に示した選択肢記憶部の記憶内容の一例を示す概念図であり、属性区分が１３歳以上の男性及び女性であるときの選択肢の例を示している。
【図７】図３に示した選択肢記憶部の記憶内容の一例を示す概念図であり、属性区分が１２歳以下であるときの選択肢の例を示している。
【図８】図３に示した症状結果テーブル記憶部の記憶内容の一例を示す概念図であり、属性区分が１３歳以上の男性及び女性であるときの症状結果テーブルの例を示している。
【図９】図３に示した症状結果テーブル記憶部の記憶内容の一例を示す概念図であり、属性区分が１２歳以下であるときの症状結果テーブルの例を示している。
【図１０】図３に示した病名候補テーブル記憶部の記憶内容の一例を示す概念図であり、通常候補テーブルを示している。
【図１１】図３に示した病名候補テーブル記憶部の記憶内容の一例を示す概念図であり、特定候補テーブルを示している。
【図１２】図３に示した第３表示制御部により表示される画面を示す正面図である。
【図１３】症状項目を選択させる画面を示す正面図であり、第１の例を示している。
【図１４】症状項目を選択させる画面を示す正面図であり、第２の例を示している。
【図１５】質問内容及び選択肢を表示する画面を示す正面図であり、第１の例を示している。
【図１６】質問内容及び選択肢を表示する画面を示す正面図であり、第２の例を示している。
【図１７】病名候補を示す画面の一例を示す正面図である。
【図１８】本実施形態に係る病態判断装置の動作の一例を示すフローチャートであり、前半部分を示している。
【図１９】本実施形態に係る病態判断装置の動作の一例を示すフローチャートであり、後半部分を示している。
【発明を実施するための形態】
【００２１】
以下、本発明の好適な実施形態を図面に基づいて説明するが、本発明は該実施の形態に限られない。図１は、本発明の実施形態に係る病態判断装置を示す外観図である。図１に示す病態判断装置１は、例えばパーソナルコンピュータの１機能として実現されるものであり、操作者からの回答結果に基づいて病名の候補を判断するものである。このような病態判断装置１は、キーボード２やマウス３などの入力手段を備え、入力手段に対する操作を経て病名の候補を判断することとなる。
【００２２】
なお、以下では病態判断装置１が各家庭で用いられる例を説明するが、病態判断装置１は、各家庭に限らず、医療機関や自治体や消防などの他の機関等において用いられてもよい（特に医療機関においては医師の病名診断の補助に用いられてもよい）。また、適用可能であれば、医療機関や自治体以外の場所で用いられてもよい。さらに、本実施形態では病態判断装置１をパーソナルコンピュータの１機能として説明するが、これに限らず、スマートフォン等の携帯端末とサーバとからなるシステムによって病態判断装置１が構成されていてもよい。
【００２３】
図２は、本実施形態に係る病態判断装置１を示すハード構成図である。図２に示すように、病態判断装置１は、ＣＰＵ（Central Processing Unit）１０と、ディスプレイ２０と、通信Ｉ／Ｆ（interface）部３０と、ＨＤＤ（Hard Disk Drive）５０とを備えている。
【００２４】
ＣＰＵ１０は、本実施形態に係る病態判断装置１の全体を制御するものであり、図２に示すようにＲＯＭ（Read Only Memory）１０ａとＲＡＭ（Random Access Memory）１０ｂとを備えている。ＲＯＭ１０ａは、病態判断装置１を機能させるための病態判断プログラムが記憶された読み出し専用のメモリである。ＲＡＭ１０ｂは、各種のデータを格納すると共にＣＰＵ１０の処理作業に必要なエリアを有する読み出し書き込み自在のメモリである。
【００２５】
ディスプレイ２０は、キーボード２やマウス３の操作による入力画像を表示したり、病態判断装置１により判断された病名の候補を表示したりするものである。通信Ｉ／Ｆ部３０は、他の装置と通信するためのインターフェースである。後述する各記憶部５１〜５５に記憶される内容は、この通信Ｉ／Ｆ部３０を通じて他の装置から取得するようになっていてもよい。
【００２６】
ＨＤＤ５０は、パーソナルコンピュータに接続される補助記憶機器である。このＨＤＤ５０には、ＲＯＭ１０ａと同様に、病態判断装置１を機能させるための病態判断プログラムが記憶されていてもよい。すなわち、ＣＰＵ１０は、ＨＤＤ５０に記憶されるプログラムに従って、本実施形態に係る病態判断装置１の各機能を実現するようになっていてもよい。なお、可能であればＨＤＤに代えて又は加えてＵＳＢ等を備えていてもよい。
【００２７】
図３は、本実施形態に係る病態判断装置１を示すソフト構成図である。図３に示すように、ＣＰＵ１０は、ＲＯＭ１０ａやＨＤＤ５０に記憶される病態判断プログラムを実行することにより、表示制御部１１、症状結果判断部（症状結果判断手段）１２、及び病名候補判断部（病名候補判断手段）１３が機能する。
【００２８】
また、図３に示すように、ＨＤＤ５０は、症状項目記憶部５１と、質問内容記憶部（第１記憶手段）５２と、選択肢記憶部（第４記憶手段）５３と、症状結果テーブル記憶部（第３記憶手段）５４と、病名候補テーブル記憶部（第２記憶手段）５５とを有している。
【００２９】
症状項目記憶部５１は、予め定められた複数の症状項目を記憶するものである。図４は、図３に示した症状項目記憶部５１の記憶内容を示す概念図である。図４に示すように、症状項目記憶部５１には、Ｘ個（Ｘは２以上の整数であって、図４に示す例では少なくとも２２以上の整数）の症状項目を記憶している。症状項目とは、病名の候補を判断する対象者に発生している異常を示す項目であり、例えば「熱がある」「咳が出る」「痰が出る」「頭痛がする」「乳房に痛みがある」「関節に痛みがある」「下痢である」「便秘である」「鼻水が出る」「痙攣した」などである。
【００３０】
さらに、症状項目記憶部５１は、それぞれの症状項目を属性区分と関連付けて記憶している。ここで、属性区分とは年齢及び性別による区分け（属性情報の区分け）であって、本実施形態では５つの属性区分が設定されている。本実施形態に係る病態判断装置１では、年齢及び性別を示す属性情報をキーボード２やマウス３への操作を通じて病態判断装置１に入力できるようになっている。病態判断装置１は、入力された年齢及び性別から、５つの属性区分のいずれに属するかを判断する。
【００３１】
５つの属性区分は、例えば「０〜１１ヶ月（第１区分）」「１歳〜３歳（第２区分）」「４歳〜１２歳（第３区分）」「１３歳以上男性（第４区分）」「１３歳以上女性（第５区分）」からなる。症状項目記憶部５１は、それぞれの症状項目を、これら５つの属性区分と対応付けて記憶している。具体的に１６個目の症状項目である「頭痛がする」については、「０〜１１ヶ月」について「−」、「１歳〜３歳」について「−」、「４歳〜１２歳」について「○」、「１３歳以上男性」について「○」、「１３歳以上女性」について「○」と記憶している。同様に１７個目の症状項目である「乳房に痛みがある」については、「０〜１１ヶ月」について「−」、「１歳〜３歳」について「−」、「４歳〜１２歳」について「−」、「１３歳以上男性」について「−」、「１３歳以上女性」について「○」と記憶している。
【００３２】
なお、本実施形態において属性情報とは年齢及び性別の双方を意味するが、これに限らず、年齢又は性別のいずれか一方であってもよい。また、いずれか一方である場合、属性区分が図４に示すものと異なることはいうまでもない。
【００３３】
再度、図３を参照する。質問内容記憶部５２は、複数の症状項目のそれぞれに設定された質問内容を記憶したものである。図５は、図３に示した質問内容記憶部５２の記憶内容を示す概念図である。図５に示すように、質問内容記憶部５２は、図４に示した複数の症状項目のそれぞれに対して定量質問、定性質問及び時間質問の３種類の質問を記憶している。
【００３４】
ここで、定量質問とは量を問う質問である。すなわち、定量質問とは、回数、温度、頻度などの量そのものが回答となる質問であって、例えば「１日の咳の回数は何回か。」「熱は何度か。」などの質問である。
【００３５】
また、時間質問とは時間を問う質問である。すなわち、時間質問とは、何日前や何時頃などの時間（時間、時刻、間隔及び期間を含む）そのものが回答となる質問であって、例えば「熱が出たのは何日前か。」「咳が最もひどくなる時間帯はいつか。」などの質問である。
【００３６】
また、定性質問とは性質を問う質問である。より詳細に定性質問とは、症状の性質を問うものであり、即ち回答が量でも時間でもないものとなる質問である。例えば「乾いた咳か。」「痰は何色か。」などは定性質問である。
【００３７】
なお、症状項目のそれぞれには、１又は複数個の定量質問、定性質問及び時間質問が設定されている。
【００３８】
例えば質問内容記憶部５２は、「熱がある」の症状項目に対して、「現在の熱は何度か？」「何度まであがったか？」という２つの定量質問を記憶している。また、質問内容記憶部５２は、「熱がある」の症状項目に対して、「明け方に熱は下がるか？」という１つの定性質問、及び、「熱が出始めたのかいつか？」という１つの時間質問を記憶している。質問内容記憶部５２は、他の症状項目についても同様に、１又は複数個の定量質問、定性質問及び時間質問を記憶している。
【００３９】
再度、図３を参照する。選択肢記憶部５３は、複数の症状項目それぞれの定量質問、定性質問、及び時間質問に対する回答を選択させるための選択肢を記憶している。また、選択肢記憶部５３は、属性区分に応じた選択肢を記憶している。
【００４０】
図６及び図７は、図３に示した選択肢記憶部５３の記憶内容の一例を示す概念図であり、図６は属性区分が１３歳以上の男性及び女性であるときの選択肢の例を示し、図７は属性区分が１２歳以下であるときの選択肢の例を示している。なお、図６及び図７に示す例では第１〜第３区分で共通の選択肢となっており、且つ、第４及び第５区分で共通の選択肢となっているが、これに限らず、選択肢記憶部５３は、属性区分それぞれにおいて異なる選択肢を記憶しておいてもよい。
【００４１】
図６に示すように、選択肢記憶部５３は、属性区分が１３歳以上の男性及び女性であるときの選択肢を記憶している。例えば「熱がある」という症状項目の定量質問１（「現在の熱は何度か？」）においては、「３７．０℃以上３７．５℃未満」を第１選択肢として記憶し、「３７．５℃以上３８．５℃未満」を第２選択肢として記憶し、「３８．５℃以上」を第３選択肢として記憶している。
【００４２】
同様に、選択肢記憶部５３は、例えば「咳が出る」という症状項目の定性質問１（「咳の後の呼吸は？」）においては、「「ヒュー」という呼吸音がする」を第１選択肢として記憶し、「「ゼェゼェ」いう」を第２選択肢として記憶している。
【００４３】
また、図７に示すように、選択肢記憶部５３は、属性区分が１２歳以下であるときの選択肢を記憶している。例えば「熱がある」という症状項目の定量質問１（「現在の熱は何度か？」）においては、「３７．０℃以上３８．５℃未満」を第１選択肢として記憶し、「３８．５℃以上３９．５℃未満」を第２選択肢として記憶し、「３９．５℃以上」を第３選択肢として記憶している。
【００４４】
同様に、選択肢記憶部５３は、例えば「咳が出る」という症状項目の定性質問１（「咳の後の呼吸は？」）においては、「「ヒュー」という呼吸音がする」を第１選択肢として記憶し、「「ゼェゼェ」いう」を第２選択肢として記憶し、「呼吸自体が困難となる」を第３選択肢として記憶している。
【００４５】
再度図３を参照する。症状結果テーブル記憶部５４は、症状ごとの結果を判断するための症状結果テーブルを記憶したものである。この症状結果テーブルは、定量質問、定性質問及び時間質問のそれぞれで選択された選択肢と、症状毎の結果との対応関係を記憶したものである。症状結果テーブル記憶部５４は、選択肢記憶部５３と同様に、属性区分に応じた対応関係の症状結果テーブルを記憶している。
【００４６】
図８及び図９は、図３に示した症状結果テーブル記憶部５４の記憶内容の一例を示す概念図であり、図８は属性区分が１３歳以上の男性及び女性であるときの症状結果テーブルの例を示し、図９は属性区分が１２歳以下であるときの症状結果テーブルの例を示している。なお、図８及び図９に示す例では第１〜第３区分で共通の症状結果テーブルとなっており、且つ、第４及び第５区分で共通の症状結果テーブルとなっているが、これに限らず、症状結果テーブル記憶部５４は、属性区分それぞれにおいて異なる症状結果テーブルを記憶しておいてもよい。また、図８及び図９では１つの症状項目（例えば「熱がある」）についての症状結果テーブルを示しているが、症状結果テーブルは１つに限らず、症状項目それぞれに対して症状結果テーブル記憶部５４が症状結果テーブルを記憶している。
【００４７】
まず、上記したように、「熱がある」の症状項目については、２つの定量質問と、１つの定性質問と、１つの時間質問とが設定されていた。また、２つの定量質問と１つの時間質問とには、それぞれ３つの選択肢が設けられ、１つの定性質問には２つの選択肢が設けられていた。
【００４８】
このため、回答パターンについては、３×３×２×３＝５４パターンが存在することとなる。症状結果テーブル記憶部５４は、５４の回答パターンに対する結果（Ａ１〜Ａ５４）を対応付けて記憶している。具体的に属性区分が１３歳以上の男性及び女性であるとき、図８に示すように、定量質問１、定量質問２、定性質問１及び時間質問１で回答選択された選択肢が全て第１選択肢（図中においては「１」と記載）であった場合については、結果「Ａ１」が対応付けて記憶されている。同様に定量質問１、定量質問２、及び定性質問１で回答選択された選択肢が第１選択肢であり、時間質問１で回答選択された選択肢が第３選択肢（図中においては「３」と記載）であった場合については、結果「Ａ３」が対応付けて記憶されている。
【００４９】
なお、結果「Ａ１」から「Ａ５４」のそれぞれは、異なる内容であってもよいし、一部共通する内容のものがあってもよい。また、結果「Ａ１」から「Ａ５４」のそれぞれには、病態の情報として、重篤度や症状の発生原因箇所（例えば症状が「咳が出る」である場合の発生原因箇所としては気管支や気管）などの情報を含むものとなっている。
【００５０】
また、属性区分が１２歳以下であるとき、図９に示すように、定量質問１、定量質問２、定性質問１及び時間質問１で回答選択された選択肢が全て第１選択肢であった場合については、例えば結果「Ａ４」が対応付けて記憶されている。同様に定量質問１、定量質問２、及び定性質問１で回答選択された選択肢が第１選択肢であり、時間質問１で回答選択された選択肢が第３選択肢（図中においては「３」と記載）であった場合については、結果「Ａ５」が対応付けて記憶されている。
【００５１】
このように、同じ選択肢が回答選択された場合であっても、属性区分によっては結果が異なることがある（もちろん同じときもある）。
【００５２】
再度図３を参照する。病名候補テーブル記憶部５５は、症状毎の結果に対して病名の候補が割り当てられたものである。図１０は、図３に示した病名候補テーブル記憶部５５の記憶内容の一例を示す概念図であり、通常候補テーブルを示している。また、図１１は、図３に示した病名候補テーブル記憶部の記憶内容の一例を示す概念図であり、特定候補テーブルを示している。
【００５３】
図１０に示すように、通常候補テーブル（病名候補テーブル）は、症状項目ごとに記憶される症状結果テーブルが示す結果それぞれと、病名の候補とを対応させたものであり、例えば、「熱がある」の結果がＡ１であった場合には、病名の候補として病名α，β，γ，δ，εが割り当てられており、結果がＡ２であった場合には、病名の候補として病名β，γ，ε，ζ，φが割り当てられている。他の結果Ａ３〜Ａ５４についても同様に病名の候補が割り当てられている。加えて、病名候補テーブルは、図１０に示すように、「咳が出る」の結果Ｂ１〜Ｂ４４についても同様に病名の候補が割り当てられている。すなわち、他の症状項目の結果それぞれについて病名の候補が割り当てられている。
【００５４】
さらに、図１１に示す特定候補テーブル（病名候補テーブル）は、特定の症状毎の結果と病名の候補とを対応させたテーブルであり、例えば、「熱がある」の結果がＡ１であり、「咳が出る」の結果がＢ３であったとする。特定候補テーブルは、これらの結果の組み合わせによって、発生している可能性が高い病名を記憶しており、例えば病名γ（例えば風邪）と記憶している。例えば或る種の風邪をひいた場合には、熱が出て、咳が出て、鼻水が出るなどといった一連の体の変化が生じる。特定候補テーブルは、このような一連の体の変化（症状毎の結果）の組み合わせと病名とを対応させて記憶している。
【００５５】
なお、特定候補テーブルにおいては、特定の結果の組み合わせと１つの病名とが対応しているが、１つの病名に限らず、複数の病名が対応していてもよい。さらに、特定の結果の組み合わせに対して、上記した病態のより詳細な情報（重篤度や症状の発生原因箇所（例えば症状が「咳が出る」である場合の発生原因箇所としては気管支や気管）などのより詳細な情報）が対応付けて記憶されていることが好ましい。
【００５６】
再度、図３を参照する。表示制御部１１は、ディスプレイ２０に表示させる画面内容を制御するものであり、第１表示制御部（第１表示制御手段）１１ａ、第２表示制御部（第２表示制御手段）１１ｂ、第３表示制御部（第３表示制御手段）１１ｃ、及び第４表示制御部１１ｄを備えている。
【００５７】
第３表示制御部１１ｃは、属性情報の入力を促す画面を表示させるものである。図１２は、図３に示した第３表示制御部１１ｃにより表示される画面を示す正面図である。図１２に示すように、第３表示制御部１１ｃは、生年月日を入力する旨の表示と、生年月日を入力するためのテキストボックス２０ａと、性別を入力する旨の表示と、性別を入力するためのチェックボックス２０ｂとを表示させる。
【００５８】
操作者は、テキストボックス２０ａに対して生年月日を入力し、チェックボックス２０ｂへのチェックにより性別を指定することとなる。さらに、操作者が、画面上に表示される「次へ」のボタン２０ｃを指定すると、属性情報が病態判断装置１に入力されることとなる。これにより、ＣＰＵ１０は、入力された属性情報から、どの属性区分に該当するかを判断することとなる。
【００５９】
再度、図３を参照する。第１表示制御部１１ａは、症状項目記憶部５１に記憶された複数の設定項目から、１つ以上の症状項目を選択させる画面を表示させるものである。より詳細に、第１表示制御部１１ａは、入力された属性情報が属する属性区分に応じた症状項目を、症状項目記憶部５１に記憶される複数の症状項目から抽出し、抽出した症状項目から１つ以上の症状項目を選択させる画面を表示させる。この結果、図１３及び図１４のような表示がなされる。
【００６０】
図１３及び図１４は、症状項目を選択させる画面を示す正面図であり、図１３は第１の例を示し、図１４は第２の例を示している。
【００６１】
属性区分が「１３歳以上女性」である場合、第１表示制御部１１ａは、図４に示すような複数の症状項目の記憶内容のうち、「１３歳以上女性」の属性区分において「○」となっている症状項目を抽出する。そして、第１表示制御部１１ａは、抽出した症状項目に基づいて図１３に示すような画面を生成してディスプレイ２０に表示させる。このとき、ディスプレイ２０には、女性特有の「乳房に痛みがある」という症状項目が表示されている。
【００６２】
また、属性区分が「０〜１１ヶ月」である場合、第１表示制御部１１ａは、図４に示すような複数の症状項目の記憶内容のうち、「０〜１１ヶ月」の属性区分において「○」となっている症状項目を抽出する。そして、第１表示制御部１１ａは、抽出した症状項目に基づいて図１４に示すような画面を生成してディスプレイ２０に表示させる。このとき、ディスプレイ２０には、「熱がある」「下痢である」といった保護者が確認することができる症状項目のみが表示されている。
【００６３】
ここで、例えば、１歳未満の乳児の症状項目に「頭痛がする」といったものが含まれていても乳児が頭痛の有無を保護者等に伝えることができず、意味がない症状項目となる。また、男性の症状項目に「乳房に痛みがある」といったものが含まれていても意味がない症状項目となる。このように、図４に示すようなデータに基づいて症状項目を抽出して表示することで、年齢や性別毎に適切な症状項目を操作者に提示させることができる。
【００６４】
さらに、図１３及び図１４に示すように、表示される症状項目のそれぞれには、これを選択するためのチェックボックス２０ｄが隣接して表示されている。操作者は、該当する症状に応じて、隣接して表示されるチェックボックス２０ｄをチェックすることにより、症状項目を選択することができる。選択後、操作者は、不図示の「次へ」のボタンを指定することにより選択を確定させ、この情報を病態判断装置１に認識させることとなる。
【００６５】
再度、図３を参照する。第２表示制御部１１ｂは、第１表示制御部１１ａにより表示された画面（すなわち図１３及び図１４に示したような画面）において選択された症状項目に設定された質問内容を、質問内容記憶部５２から読み出して順次画面表示させるものである。この際、第２表示制御部１１ｂは、定量質問、定性質問及び時間質問のそれぞれについて、回答を選択させる選択肢も表示させる。なお、表示される選択肢は、属性区分に応じたものであり、選択肢記憶部５３に記憶される選択肢が読み出されて表示させられる。
【００６６】
図１５及び図１６は、質問内容及び選択肢を表示する画面を示す正面図であり、図１５は第１の例を示し、図１６は第２の例を示している。なお、図１５及び図１６に示す例では、「熱がある」の症状項目が選択された場合の画面を示している。
【００６７】
図１５に示すように、第２表示制御部１１ｂは、例えば「熱がある」の症状項目の質問内容として、「現在の熱は何度か？（定量質問）」「何度まであがったか？（定量質問）」「明け方に熱は下がるか？（定性質問）」「熱が出始めたのはいつか？（時間質問）」を表示する。
【００６８】
また、第２表示制御部１１ｂは、各質問に対して、属性区分に応じた選択肢を表示させる。図１５に示す例では、属性区分が「１３歳以上の男性」及び「１３歳以上女性」であるときの選択肢を示し、具体的には「現在の熱は何度か？（定量質問）」「何度まであがったか？（定量質問）」に対して、選択肢が「３７．０℃以上３７．５℃未満」「３７．５℃以上３８．５℃未満」「３８．５℃以上」となっている。
【００６９】
また、「明け方に熱は下がるか？（定性質問）」について選択肢は「ＹＥＳ」「ＮＯ」となっており、「熱が出始めたのはいつか？（時間質問）」について選択肢は「本日又は昨日」「一昨日前から６日前」「１週間以上前」となっている。
【００７０】
一方、図１６に示す例では、属性区分が「０〜１１ヶ月」「１〜３歳」及び「４〜１２歳」であるときの選択肢を示し、具体的には「現在の熱は何度か？（定量質問）」「何度まであがったか？（定量質問）」に対して、選択肢が「３７．０℃以上３８．５℃未満」「３８．５℃以上３９．５℃未満」「３９．５℃以上」となっている。すなわち、選択肢の内容が図１５に示す例と異なっている。
【００７１】
なお、「明け方に熱は下がるか？（定性質問）」及び「熱が出始めたのはいつか？（時間質問）」について選択肢は図１５に示す例と同じとなっている。
【００７２】
さらに、図１５及び図１６に示すように、各選択肢には、これに隣接してチェックボックス２０ｅが表示されている。操作者は、該当する選択肢に隣接して表示されるチェックボックス２０ｅをチェックすることにより、選択肢を選択することができる。選択後、操作者は、ＯＫボタン２０ｆを指定することにより選択した内容を確定させ、この情報を病態判断装置１に認識させることとなる。
【００７３】
また、ＯＫボタン２０ｆが指定された場合には、次の症状項目に対応する質問内容及び選択肢を表示する画面が第２表示制御部１１ｂによって表示される。例えば操作者が「熱がある」と「咳が出る」との２つの症状項目を選択していた場合、「熱がある」について質問内容及び選択肢が表示され、ＯＫボタン２０ｆが指定されると、第２表示制御部１１ｂは、次の症状項目である「咳が出る」について質問内容及び選択肢を表示させる。
【００７４】
そして、第２表示制御部１１ｂは、選択していた全ての症状項目について、質問内容及び選択肢を表示し、ＯＫボタン２０ｆが指定されるまで、順次症状項目について質問内容及び選択肢を表示させていく。
【００７５】
ここで、定量質問、定性質問、及び時間質問は、当該症状項目が示す症状のみについて問うものであることが好ましい。すなわち、定量質問、定性質問、及び時間質問は、他の症状項目が示す症状を問う内容を含まないものであることが好ましい。
【００７６】
上記の症状項目の区分けは医学的見地から定められている。例えば、症状項目は、上記のように、「熱がある」、「咳が出る」、「痰が出る」などと予め定められており、「咳が出る」という症状項目についての質問では、「痰」に関する質問が含まれない。すなわち、咳の項目の質問に「咳に痰が絡むか。」といったものは含まれない。
【００７７】
ここで、痰は通常咳と共に体外へ排出されるものである。このため、例えば予め症状項目として、「熱がある」、「咳が出る」と区分けされ、「痰が出る」という症状項目が設定されていない場合には、「咳が出る」の症状項目において「咳に痰が絡むか。」という定性質問がされることがある。すなわち、上記の「当該症状のみについて問うもの」とは、既に定められている症状項目の区分けを基本とし、１つの症状項目においては、他の症状項目の内容を問わないということである。よって、「熱がある」、「咳が出る」、「痰が出る」と症状項目が分けられている場合において「咳に痰が絡むか。」といった質問は、「当該症状のみについて問うもの」とは言えない。一方、「熱がある」、「咳が出る」と区分けされ、「痰が出る」という症状項目が設定されていない場合には、「咳に痰が絡むか。」といった質問は、「当該症状のみについて問うもの」となる。
【００７８】
なお、装置自体が「痰が出る」を症状項目に設定するか否かは、上記したように医学的見地から定められる。医学は日々進歩することから考えると、例えば「痰が出る」という症状は症状項目に設定されたりされなかったりすることがある。他の症状についても同様に症状項目に設定されたりされなかったりすることがある。
【００７９】
再度、図３を参照する。症状結果判断部１２は、第２表示制御部１１ｂにより順次表示された画面にて入力された各症状項目の質問内容に対する回答結果に応じて、症状毎の結果を判断するものである。より詳細に症状結果判断部１２は、定量質問、定性質問、及び時間質問のそれぞれで選択された選択肢を、症状結果テーブル記憶部５４に記憶される症状結果テーブルに当てはめることで、症状毎の結果を判断する。
【００８０】
ここで、本実施形態において症状結果判断部１２は、回答結果を適正に調整のうえ、症状毎の結果を判断することが好ましい。回答結果については、個人差が生じることがある。例えば、「熱がある」の「現在の熱は何度か。」という定量質問に対して、実際は３８℃の熱であるにも拘わらず大げさな人は「３９．５℃以上」という選択肢を選択することがある。逆に控え目な人は「３７．０℃以上３８．５℃未満」という選択肢を選択することがある。また、大げさな人や控え目な人などのように意図的に大げさや控え目に選択する人のみならず、苦痛が大きいことに我慢できず大げさに回答したり、単なる勘違いから大げさに回答したりする人もいる。よって、本装置１は、このような病名候補の判断対象者毎の傾向を例えば係数として記憶しており、係数に応じて回答結果を適正に調整する。調整対象は、定量質問の回答結果に限らず、定性質問及び時間質問も該当する。これにより、一層適正に症状毎の結果を判断することができるからである。なお、係数については、例えば医師などにより直接入力されたものが記憶されていてもよいし、過去の本装置１の使用時の回答と実際に罹患していた病名との関係から演算式等により求められて記憶されていてもよい。
【００８１】
病名候補判断部１３は、病名候補テーブル記憶部５５に記憶される病名候補テーブルに、症状結果判断部１２により判断された症状毎の結果を当てはめることで、病名の候補を判断するものである。ここで、当てはめる対象は、図１０に示したような通常候補テーブルと、図１１に示したような特定候補テーブルとの双方である。
【００８２】
上記したように、病名候補テーブルには、症状の結果それぞれに病名の候補が割り当てられている。具体的には、図１０に示す通常候補テーブルにおいて結果Ａ１の病名の候補には病名α，β，γ，δ，εが対応しており、結果Ｂ３の病名の候補には病名γ，δ，φ，εが対応している。さらに、図１１に示す特定候補テーブルでは、結果Ａ１と結果Ｂ３の組み合わせとして病名の候補には病名γが対応している。このため、操作者が、症状項目として「熱がある」と「咳が出る」とを選択し、それぞれの症状項目の結果がＡ１とＢ３となった場合、病名候補判断部１３は、これらの病名候補を統合して、病名の候補を病名α，β，γ，δ，ω，φ，εと判断する。特に、病名候補判断部１３は、病名γが通常候補テーブルにおける結果Ａ１，Ｂ３との双方の候補になっており、且つ、特定候補テーブルにおける結果Ａ１と結果Ｂ３の組み合わせとして病名の候補にも挙がっていることから、最も罹患している可能性が高い病気の病名であると判断する。
【００８３】
さらに、もう一例説明する。例えば図１０に示す通常候補テーブルにおいて結果Ａ５４の病名の候補には病名γ，δ，ω，φが対応しており、結果Ｂ１の病名の候補には病名θ，ω，εが対応している。このため、操作者が、症状項目として「熱がある」と「咳が出る」とを選択し、それぞれの症状項目の結果がＡ５４とＢ１となった場合、病名候補判断部１３は、これらの病名候補を統合して、病名の候補を病名γ，δ，ω，φ，θ，εと判断する。このとき、図１１の特定候補テーブルに示すように、結果Ａ５４と結果Ｂ１との組み合わせが存在せず、病名の候補が存在しない。よって、病名候補判断部１３は、通常候補テーブルのみから、病名の候補を病名γ，δ，ω，φ，θ，εと判断する。なお、この場合において病名候補判断部１３は、病名ωが結果Ａ５４，Ｂ１との双方の候補になっていることから、最も罹患している可能性が高い病気の病名であると判断する。
【００８４】
第４表示制御部１１ｄは、病名候補判断部１３により判断された病名の候補を画面表示させるものである。図１７は、病名候補を示す画面の一例を示す正面図である。第４表示制御部１１ｄは、例えば、症状結果判断部１２により判断された症状の結果、及び、病名候補判断部１３により判断された病名の候補を表示する。具体的に第４表示制御部１１ｄは、図１７に示すように、例えば「咽頭が炎症しています。医療機関の受診をお勧めします。考えられる病名としては、風邪、咽頭炎、インフルエンザが挙げられます。」と表示させる。ここで、「咽頭が炎症しています。」が症状毎の結果に該当している。症状毎の結果が複数ある場合、その全てが表示されてもよいし、図１７に示すように、１つだけ表示されてもよい。さらに、第４表示制御部１１ｄは、「終了」ボタン２０ｇについても表示させている。なお、表示される病名の候補は、罹患している可能性が高いものから順番に表示されることが好ましい。この場合、図１０の通常候補テーブルに示す病名それぞれに可能性の情報を付加しておく必要がある。すなわち、図１０の結果Ａ５４について病名γはＸポイント、病名δはＹポイント、病名ωはＺポイントなど情報を付加しておくことで、可能性が高いものから順番に表示させることができる。さらに、結果Ａ５４及び結果Ｂ１のように、病名ωについては結果Ａ５４の可能性のポイントと結果Ｂ１における可能性のポイントとが加算されることが好ましい。加えて、特定候補テーブルに挙げられる病名については、通常候補テーブルに記憶されるポイントよりも大きなポイントの情報が付与されており、これが加算されることとなる。従って、結果Ａ１及び結果Ｂ３が得られている場合には、病名γのポイントが他の病名よりも圧倒的に高い数値となる。
【００８５】
加えて、第４表示制御部１１ｄは、図１７に示すように、例えば「但し、確率的には低いですが、見逃してはいけない項目として天疱瘡、咽頭がんが挙げられます。」と表示させる。この場合、図１０の通常候補テーブルに示す病名それぞれに致命度の情報を付加しておく必要がある。例えば、図１０の結果Ａ５４について病名γはｘポイント、病名δはｙポイント、病名ωはｚポイントなど情報を付加しておく。他の結果Ａ１〜Ａ５３等についても同様に致命度の情報を付加しておく。さらに、通常候補テーブルだけでなく、図１１に示す特定候補テーブルにおいても、病名それぞれに致命度の情報を付加しておく必要がある。そして、第４表示制御部１１ｄは、致命度が所定ポイント以上となる病名について見逃してはいけない旨を表示させる。すなわち、図１７に示す例では、天疱瘡及び咽頭がんについて見逃してはいけない旨を表示させる。
【００８６】
操作者は、画面表示される病名等を認識した後に「終了」ボタン２０ｇを指定する。これにより、ＣＰＵ１０は、例えば図１２に示す属性情報の入力画面に戻ることとなる。
【００８７】
次に、本実施形態に係る病態判断装置１の動作を説明する。図１８及び図１９は、本実施形態に係る病態判断装置１の動作の一例を示すフローチャートであり、図１８は前半部分を示し、図１９は後半部分を示している。
【００８８】
図１８に示すように、まず第３表示制御部１１ｃは、属性情報の入力画面を表示させる（Ｓ１）。このとき、第３表示制御部１１ｃは、例えば図１２に示すような画面を表示させる。そして、ＣＰＵ１０は、属性情報が入力されたかを判断する（Ｓ２）。図１２に示す例の場合、ＣＰＵ１０は、テキストボックス２０ａに生年月日が入力され、チェックボックス２０ｂにチェックがされた状態で、「次へ」のボタン２０ｃが指定されたかを判断することとなる。
【００８９】
属性情報が入力されていないと判断した場合（Ｓ２：ＮＯ）、処理はステップＳ１に移行する。一方、属性情報が入力されたと判断した場合（Ｓ２：ＹＥＳ）、第１表示制御部１１ａは、症状項目の選択画面を表示させる（Ｓ３）。この際、第１表示制御部１１ａは、例えば図１３及び図１４に示すように、属性区分に応じた症状項目の選択画面を表示させる。
【００９０】
その後、ＣＰＵ１０は、症状項目が選択されたかを判断する（Ｓ４）。図１３及び図１４に示す例の場合、ＣＰＵ１０は、症状項目に隣接配置される各チェックボックス２０ｄのうち、いずれか１つ以上がチェックされて、不図示の「次へ」のボタンが指定されたかを判断することとなる。
【００９１】
次いで、ＣＰＵ１０は、ステップＳ３において表示した複数の症状項目のうち、選択された数をｉｍａｘとする（Ｓ５）。すなわち、図１３及び図１４に示す例の場合、ＣＰＵ１０は、チェックされたチェックボックス２０ｄの数をｉｍａｘとする。その後、ＣＰＵ１０は、変数ｉを「１」に初期化する（Ｓ６）。
【００９２】
次に、第２表示制御部１１ｂは、ｉ個目の症状項目の質問及び選択肢を読み込み（Ｓ７）、読み込んだデータに基づいて質問・選択肢画面を表示させる（Ｓ８）。この際、第２表示制御部１１ｂは、例えば図１５及び図１６に示すように、属性区分に応じた選択肢を含む画面を表示させる。
【００９３】
その後、ＣＰＵ１０は、回答があったかを判断する（Ｓ９）。図１５及び図１６に示す例の場合、ＣＰＵ１０は、質問それぞれについて、選択肢に隣接するチェックボックス２０ｅのいずれか１つがチェックされた状態で、ＯＫボタン２０ｆが指定されたかを判断することとなる。
【００９４】
回答がなかったと判断した場合（Ｓ９：ＮＯ）、回答があったと判断されるまで、この処理が繰り返される。一方、回答があったと判断した場合（Ｓ９：ＹＥＳ）、症状結果判断部１２は、回答調整を行う（Ｓ１０）。この回答調整は、上記したように大げさに回答する人や控え目に回答する人などの傾向に基づいて行われるものであり、例えばこのような傾向を反映した係数に基づいて調整される。なお、今回処理を行っている病名候補の判断対象者に対して係数が記憶されていない場合には、回答調整処理は実行されず、処理はステップＳ１１に移行する。
【００９５】
そして、症状結果判断部１２は、（調整済みの）回答に基づいて、その症状の結果を判断する（Ｓ１１）。この際、症状結果判断部１２は、属性区分に応じたｉ個目の症状項目の症状結果テーブルを読み出し、選択された選択肢をテーブルに当てはめて、その症状の結果を判断する。
【００９６】
次に、ＣＰＵ１０は、変数ｉがｉｍａｘであるかを判断する（Ｓ１２）。変数ｉがｉｍａｘでないと判断した場合（Ｓ１２：ＮＯ）、ＣＰＵ１０は、変数ｉをインクリメントし（Ｓ１３）、処理は図１８に示したステップＳ７に移行する。すなわち、変数ｉが「１」加算され、加算後の個数目の症状項目について質問と選択肢とが読み込まれることとなる。
【００９７】
一方、変数ｉがｉｍａｘであると判断した場合（Ｓ１２：ＹＥＳ）、病名候補判断部１３は、ステップＳ１１にて判断された症状毎の結果が特定候補テーブルにて示す特定の組み合わせに該当するかを判断する（Ｓ１４）。該当すると判断した場合（Ｓ１４：ＹＥＳ）、病名候補判断部１３は、特定候補テーブルから特定の組み合わせに対応する病名を抽出する（Ｓ１５）。そして、処理はステップＳ１６に移行する。
【００９８】
一方、特定候補テーブルにて示す特定の組み合わせに該当しないと判断した場合（Ｓ１４：ＮＯ）、処理はステップＳ１５に移行し、病名候補判断部１３は、ステップＳ１１において判断された症状毎の結果を図１０に示した通常候補テーブルに当てはめることにより、病名の候補を抽出する（Ｓ１６）。
【００９９】
そして、第４表示制御部１１ｄは、ステップＳ１５及びステップＳ１６において抽出された病名候補を表示させる（Ｓ１７）。そして、図１８及び図１９に示した処理は終了する。なお、第４表示制御部１１ｄが図１７に示したような画面を表示していた場合には、操作者が「終了」ボタン２０ｇを指定することにより、図１８及び図１９に示した処理は終了することとなる。また、図１７に示すように、病名の候補のみならず症状毎の結果についても表示させることが好ましい。
【０１００】
このようにして、本実施形態に係る病態判断装置１、病態判断プログラム、及び、当該プログラムが記録されたコンピュータ読取可能な記録媒体によれば、質問内容は、症状項目が示す症状について、量を問う定量質問と、性質を問う定性質問と、時間を問う時間質問とからなる。ここで、本件発明者は、医学的見地に基づいて、定量的、定性的、及び時間的の３つの観点から、症状そのものの重篤度等を判断し、これを統合することで漏れが無く病名の候補を抽出できることを見出した。すなわち、本件発明者は、一般に医者による誤診が、例えば量だけを問い、時間や性質などを問うことなく決めつけてしまうことなどによって発生することを見出した。よって、３つの観点の質問の回答を入力させることで、症状の結果（重篤度や症状の発生原因箇所（例えば症状が「咳が出る」である場合の発生原因箇所としては気管支や気管）など）をより正確に判断することができ、これらの結果を統合して病名の候補を判断することで、病名候補をより精度良く判断することができる。
【０１０１】
また、定量質問、定性質問、及び時間質問は、当該症状項目が示す症状のみについて問うものである。ここで、本件発明者は、さらに、一般に医者による誤診が、問診時に、先入観から或る症状とその症状と関連がある症状とに対して同時的な質問をしてしまうことによって発生し易くなることを見出した。よって、各質問は、当該症状のみについて問うものであり、他の症状項目が示す症状を問う内容を含まないことが好ましいといえる。このような質問とすることで、一層正確に症状毎の結果を判断でき、病名候補をより精度良く判断することにつなげることができる。
【０１０２】
また、定量質問、定性質問、及び時間質問のそれぞれについて、回答を選択させる複数の選択肢を表示させ、選択された選択肢を症状結果テーブルに当てはめて、症状毎の結果を判断する。このため、選択肢を表示させず例えばテキストボックスを表示させて文字を入力されるような場合には的を射ない回答が入力されてしまうことがあり、症状毎の結果が誤って判断されてしまうことがある。しかし、上記であれば、症状毎の結果が誤って判断されてしまう可能性を低減することができる。
【０１０３】
また、属性区分に応じた１つ以上の症状項目を表示させる。例えば、１歳未満の乳児の症状項目に「頭痛がする」といったものが含まれていても乳児が頭痛の有無を伝えることができず、意味がない症状項目となる。また、男性の症状項目に「乳房に痛みがある」といったものが含まれていても意味がない症状項目となる。このように、年齢及び性別の少なくとも一方の属性情報に応じた複数の症状項目を記憶しておくことで、年齢や性別ごとに適切な症状項目を表示させることができる。
【０１０４】
また、属性区分に応じて選択肢を記憶している。例えば、乳児、幼児及び児童は大人よりも熱が高い傾向にある。このため、例えば、乳児、幼児及び児童において「熱がある」の症状項目における「熱は何度か。」という定量質問の選択肢は、「３７℃以上３８．５℃未満」「３８．５℃以上４０℃未満」「４０℃以上」といった３つが適切である場合、大人では選択肢を「３７℃以上３７．５℃未満」「３７．５℃以上３８．５℃未満」「３８．５℃以上」とすることが適切となる。また、女性は男性よりも便秘になり易い傾向にある。このため、例えば女性において「便秘である」という症状項目における「便が最後に出たのはいつか。」という時間質問の選択肢は、「本日から２日前」「３日前から６日前」「１週間以上前」といった３つが適切である場合、男性では選択肢を「本日」「昨日又は一昨日」「３日以上前」とすることが適切となる。このように、属性区分に応じた選択肢を記憶しておくことで、年齢や性別ごとに応じた適切な選択をさせることができる。
【０１０５】
以上、実施形態に基づき本発明を説明したが、本発明は上記実施形態に限られるものではなく、本発明の趣旨を逸脱しない範囲で、変更を加えてもよい。
【０１０６】
例えば、本実施形態に係る病態判断装置１は、パーソナルコンピュータ１台により実現されているが、これに限らず、複数台のコンピュータをネットワーク接続して実現される自動診察システムも含む概念である。
【０１０７】
また、本実施形態において病態判断装置１を機能させるためのプログラムは、ＲＯＭ１０ａ、ＨＤＤ５０、ＵＳＢ、及び他の装置の記録媒体に限らず、ＣＤ−ＲＯＭ、ＣＤ−Ｒなどの他の種類の記録媒体に格納されていてもよい。
【０１０８】
さらに、本実施形態において病態判断装置１において属性情報は年齢及び性別の双方に限らず、いずれか一方であってもよい。また、属性情報の入力を要せず、全年齢及び性別に対応するように装置１を構築してもよい。
【０１０９】
さらに、本実施形態において症状項目は少なくとも２つ以上選択されなければエラーとなりそれ以降の処理が実行されないようになっていてもよい。
【０１１０】
また、上記実施形態において定量質問、定性質問及び時間質問の内容は、属性区分間で共通のものとしているが、これに限らず、属性区分に応じて異なるものとすることが好ましい。
【符号の説明】
【０１１１】
１        ：病態判断装置
２        ：キーボード
３        ：マウス
１０      ：ＣＰＵ
１０ａ    ：ＲＯＭ
１０ｂ    ：ＲＡＭ
１１      ：表示制御部
１１ａ    ：第１表示制御部（第１表示制御手段）
１１ｂ    ：第２表示制御部（第２表示制御手段）
１１ｃ    ：第３表示制御部（第３表示制御手段）
１１ｄ    ：第４表示制御部
１２      ：症状結果判断部（症状結果判断手段）
１３      ：病名候補判断部（病名候補判断手段）
２０      ：ディスプレイ
２０ａ    ：テキストボックス
２０ｂ    ：チェックボックス
２０ｃ    ：ボタン
２０ｄ    ：チェックボックス
２０ｅ    ：チェックボックス
２０ｆ    ：ＯＫボタン
２０ｇ    ：ボタン
３０      ：通信Ｉ／Ｆ部
５０      ：ＨＤＤ
５１      ：症状項目記憶部
５２      ：質問内容記憶部（第１記憶手段）
５３      ：選択肢記憶部（第４記憶手段）
５４      ：症状結果テーブル記憶部（第３記憶手段）
５５      ：病名候補テーブル記憶部（第２記憶手段）
【図１】
0006517883.tif 000002
【図２】
0006517883.tif 000003
【図３】
0006517883.tif 000004
【図４】
0006517883.tif 000005
【図５】
0006517883.tif 000006
【図６】
0006517883.tif 000007
【図７】
0006517883.tif 000008
【図８】
0006517883.tif 000009
【図９】
0006517883.tif 000010
【図１０】
0006517883.tif 000011
【図１１】
0006517883.tif 000012
【図１２】
0006517883.tif 000013
【図１３】
0006517883.tif 000014
【図１４】
0006517883.tif 000015
【図１５】
0006517883.tif 000016
【図１６】
0006517883.tif 000017
【図１７】
0006517883.tif 000018
【図１８】
0006517883.tif 000019
【図１９】
0006517883.tif 000020